【事件の表示】
　上記当事者間の特許第５６０８８２７号発明「多色ペンライト」の特許無効審判事件について、次のとおり審決する。
【結　論】
　本件審判の請求は、成り立たない。
　審判費用は、請求人の負担とする。
【理　由】
第１　手続の経緯
　本件特許第５６０８８２７号に係る出願（以下、「本件出願」という。）は、平成２６年１月２７日に特許出願としたものであって、平成２６年９月５日にその発明について特許権の設定登録（請求項の数２）がなされたものである。
 　 
　以後の本件に係る手続の概要は、以下のとおりである。
１．平成２８年　６月　９日　　　本件無効審判の請求
２．平成２８年　７月１５日　　　審判事件答弁書
３．平成２８年　９月１５日付け　審理事項通知書
４．平成２８年１０月２５日　　　口頭審理陳述要領書（請求人）
５．平成２８年１０月２５日　　　口頭審理陳述要領書（被請求人）
６．平成２８年１１月　８日　　　第１回口頭審理、補正許否の決定
第２　本件特許発明
　本件特許第５６０８８２７号の請求項１及び２に係る発明は、特許明細書及び図面の記載からみて、その特許請求の範囲の請求項１及び２に記載された以下の事項により特定されるものである。（以下、「本件特許発明１」及び「本件特許発明２」という。） 
「【請求項１】
　発光色を照らすカバーで覆われた発光部と、把持部とを有し、
　前記把持部は、
　赤色発光ダイオード、緑色発光ダイオード、青色発光ダイオード、黄色発光ダイオード及び白色発光ダイオードを備える光源部と、
　前記光源部の各発光ダイオードの発光を個別に制御する制御手段を有し、
　前記制御手段により前記各発光ダイオードを単独で又は複数発光させることで特定の発光色が得られるように構成し、
　前記特定の発光色は複数得られ、
　前記複数得られる特定の発光色には、少なくとも、前記白色発光ダイオードから発せられる光とそれ以外の発光ダイオードから発せられる光とを混合して得られる発光色、又は、前記黄色発光ダイオードから発せられる光とそれ以外の発光ダイオードから発せられる光とを混合して得られる発光色が含まれ、
　前記各発光ダイオードから発せられる光を集光、混色し、これにより得られた発光色で前記カバーを照らすための発光色補助手段を前記光源部の近くに設けるように構成し、乾電池又はボタン電池を電源とすることを特徴とする多色ペンライト。
【請求項２】
　前記光源部が前記発光ダイオード以外の色の発光ダイオードを更に備える請求項１に記載の多色ペンライト。」
第３　当事者の主張
１．請求人の主張の概要
　請求人は、審判請求書において、「特許第５６０８８２７号発明の特許請求の範囲の請求項１及び２に記載された発明についての特許を無効とする。審判費用は被請求人の負担とする」との審決を求め、審判請求書、口頭審理陳述要領書、口頭審理を総合すると、請求人が主張する無効理由は、概略、次のとおりのものである。 
　本件特許発明１及び２は、甲第１号証に記載の発明及び甲第２号証に記載の発明に基いて、出願前に当業者が容易に発明をすることができたものであり、特許法第２９条第２項の規定により特許を受けることができないものである。 
　その具体的な理由は、以下のとおりである。
　甲第１号証には、赤色発光ダイオード、緑色発光ダイオード、青色発光ダイオード、黄色発光ダイオード及び白色発光ダイオードを備える光源部と、前記各発光ダイオードから発せられる光を集光、混色する発光色補助手段を備える多色ペンライトの発明が記載されている。そして、甲第２号証には、多色ペンライトにおいて、黄色発光ダイオードを用いるという発明が記載されている。したがって、甲第１号証に記載の発明に、甲第２号証に記載の発明を適用し、本件特許発明１及び２とすることは、当業者にとって容易に想到し得たものである。
［証拠方法］
甲第１号証：特許第５３２４６８１号公報
甲第２号証：特開２００９−７０８３２号公報
２．被請求人の主張の概要 
　被請求人は、審判事件答弁書において「本件審判の請求は成り立たない。審判費用は請求人の負担とする」との審決を求め、審判事件答弁書、口頭審理陳述要領書、口頭審理を総合すると、概略、次のとおり主張している。
　本件特許発明１及び２は、甲第１号証に記載の発明及び甲第２号証に記載の発明に基いて、出願前に当業者が容易に発明をすることができたものではなく、特許法第２９条第２項の規定に違反して登録されたものではない。
　その具体的な理由は、以下の３点である。
（１）甲第１号証は、白色発光ダイオードを用いたペンライト（第１の実施形態）と、赤色発光ダイオード、緑色発光ダイオード及び青色発光ダイオードを用いたペンライト（第２の実施形態）を、それぞれ別個の実施形態として記載しているものであり、甲第１号証に、白色発光ダイオード、赤色発光ダイオード、緑色発光ダイオード及び青色発光ダイオードを用いたペンライトの発明は記載されていない。
（２）甲第２号証の段落【００９８】の「ライトシステム１４００のいくつかは、青色を、その他は黄色を表示し、それによって、例えば、リングパターンが聴衆の中に現われるようにすることができる。」との記載は、光源である発光ダイオードが黄色発光ダイオードであることを意味しているのではなく、異なる色の発光ダイオードから発せられる光を混色して得られる発光色が黄色であることを意味している。したがって、甲第２号証には、多色ペンライトにおいて、黄色発光ダイオードを用いるという技術的事項は記載されていない。
（３）甲第１号証に記載の凸面鏡２０２は、光を反射させて外側に広げるものであるから、本件特許発明１の「各発光ダイオードから発せられる光を集光、混色する発光色補助手段」に相当するものではない。
［証拠方法］
乙第１号証：特開２００６−２６９１９０号公報
第４　当審の判断
１．補正許否
　請求人が平成２８年１０月２５日付け口頭審理陳述要領書に添付した甲第３号証、甲第１号証の従来技術である特許文献１（特開２０００−９０７０２号公報）、及び、凸レンズに係る周知技術（口頭審理陳述要領書第１４頁第２６行目〜第２７行目）に基づく追加の主張は、審判長がこれらが実質的に審判請求書の要旨を変更する補正に該当すると判断し、口頭審理において、特許法第１３１条の２第１項の規定に基づき、当該補正を許可しないと決定した。
２．甲第１号証及び甲第２号証について
（１）甲第１号証
　甲第１号証は、本件出願の出願前に頒布された刊行物であり、「棒状ライト」に関し、以下の事項が記載されている（下線部は当審で付与した。以下同様。）。
ア．「【００２９】
［第１の実施形態］
以下、本発明の第１の実施の形態を図１乃至図８を用いて説明する。
【００３０】
　本発明に係る
棒状ライト１００は、筒状の胴体部１０１と、胴体部１０１の内部に設けられ、発光する発光部２０１と
胴体部１０１と連結し、手でつかむための保持部４０１と
発光部２０１に動力を供給する電源部５０１とを備える。
イ．「【００３１】
　
胴体部１０１は、発光部２０１の発光の様子が外から確認できるように透過性を有したものをいう。
ウ．「【００３３】
　
発光部２０１は、電源部５０１からの動力供給を受け発光するものをいう。具体的には発光ダイオード等が挙げられる。
第１の実施形態においては、白色光を発する発光ダイオードを用いている。
エ．「【００３５】
　
電源部５０１は、発光部２０１に動力を供給するものをいう。具体的には、乾電池やボタン電池等が挙げられる。
オ．「【００４５】
　
保持部４０１は、更に、発光部２０１の発光条件を制御する制御部６０１を備える
【００４６】
　制御部６０１は、制御回路を有したものをいい、具体的にはＣＰＵやＩＣチップ等の基板回路が挙げられる。
制御部６０１では発光部２０１の発光条件として、例えば発光部２０１の照度、点滅速度、点滅色等を制御する。
カ．「【００５２】
　次に、保持部４０１の内部構造について、図８を用いて説明する。
【００５３】
　
発光部２０１は、器具２０４にネジ２９１によって固定され、凸面鏡２０２の内部に設けられる。これによって、発光部２０１が下方に照射する光を、上方向に反射させることが可能になる。
【００５４】
　
凸面鏡２０２は、散熱器具５８５の内部に設けられ、凸面鏡固定具２０３によって保持部４０１に固定される。
キ．「【００６２】
　
第２の実施形態において、発光部２０１として、３色発光ダイオードを用いており、複数の色に発光可能である。３色発光ダイオードとは、光の三原色である赤色・緑色・青色の発光ダイオードのチップを有することで、発光色を自由に変更可能な発光ダイオードのことをいう。
ク．「【００６４】
　
その他の構造及び機能については第１の実施形態と同様である。ただし、第２の実施形態においては、発光部２０１が複数色に発光可能である
　以上の記載事項から次の事項が認定できる。
ケ．上記カ．には、「発光部２０１は、器具２０４にネジ２９１によって固定され、凸面鏡２０２の内部に設けられる。」、「凸面鏡２０２は、散熱器具５８５の内部に設けられ、凸面鏡固定具２０３によって保持部４０１に固定される。」と記載されていることから、保持部４０１は、発光部２０１を備えていると認められる。
　また、上記キ．には、「発光部２０１として、３色発光ダイオードを用いており、複数の色に発光可能である。３色発光ダイオードとは、光の三原色である赤色・緑色・青色の発光ダイオードのチップを有することで、発光色を自由に変更可能な発光ダイオードのことをいう。」と記載されていることから、発光部２０１は、赤色の発光ダイオード、緑色の発光ダイオード、青色の発光ダイオードを備えるものと認められる。
コ．上記オ．には、「発光部２０１の発光条件を制御する制御部６０１」、「制御部６０１では発光部２０１の発光条件として、例えば発光部２０１の照度、点滅速度、点滅色等を制御する。」と記載され、上記キ．には、「発光部２０１として、３色発光ダイオードを用いており、複数の色に発光可能である。３色発光ダイオードとは、光の三原色である赤色・緑色・青色の発光ダイオードのチップを有することで、発光色を自由に変更可能な発光ダイオードのことをいう。」と記載されていることから、制御部６０１により、発光部２０１の赤色の発光ダイオード、緑色の発光ダイオード、青色の発光ダイオードの発光を個別に制御し、前記各発光ダイオードを単独又は複数発光させることで特定の発光色を複数得ることができるものと認められる。
　これらの記載事項ア．〜ク．、認定事項ケ．、コ．及び図面内容を総合し、本件特許発明１の発明特定事項に倣って整理すると、甲第１号証には、以下の発明が記載されていると認められる（以下、「甲１発明」という。）。 
「透過性を有した筒状の胴体部１０１と、手でつかむための保持部４０１とを備え、
　前記保持部４０１は、
　赤色の発光ダイオード、緑色の発光ダイオード、青色の発光ダイオードを備える発光部２０１と、
　前記発光部２０１の赤色の発光ダイオード、緑色の発光ダイオード、青色の発光ダイオードの発光を個別に制御する制御部６０１を備え、
　前記制御部６０１により前記各発光ダイオードを単独又は複数発光させることで特定の発光色が得られるように構成し、
　前記特定の発光色は複数得られ、
　前記発光部２０１が下方に照射する光を上方向に反射させる凸面鏡２０２の内部に、前記発光部２０１を設け、
　電源部５０１は乾電池やボタン電池である棒状ライト１００。」
（２）甲第２号証
　甲第２号証は、本件出願の出願前に頒布された刊行物であり、以下の事項が記載されている。
ア．「【００２３】
　図１を参照すると、本明細書に記述する本発明の一実施態様において、環境１００は、１つまたは複数のライトシステム１０２を含む。本明細書においては、「ライトシステム」は、文脈が適切である範囲において、ＬＥＤシステム、ならびにフィラメントランプ、火焔などのパイロルミネセンス光源、ガスマントルなどのキャンドルルミネセンス光源、およびカーボンアーク放射光源を含む白熱光源、ならびにガス放電、蛍光光源、リン光源、レーザ、エレクトロルミネセンスランプのようなエレクトロルミネッセンス光源、発光ダイオード、および電気的飽和を使用するカソードルミネセンス光源を含むフォトルミネッセンス光源、ならびにガルバノルミネセンス光源、結晶ルミネセンス光源、キネルミネセンス光源（kine luminescent source）、熱ルミネセンス光源、摩擦ルミネセンス光源（triboluminescent source）、音ルミネセンス光源、および放射線ルミネセンス光源を含む種々のルミネセンス光源、を含むすべてのライトシステムを含むものである。ライトシステム１０２には、原色などのカラーを生成することのできる発光ポリマー（luminescent  polymer）も含まれる。
好ましい一実施態様において、ライトシステム１０２は、ＬＥＤ式ライトシステムである。また、好ましい一実施態様においては、ライトシステム１０２は、２つの光の色を混合することが可能であり、この光の色としては、赤、緑、青、白、コハク、またはその他の光の色がある。一実施例として、この光の色は、白色光の異なる色、すなわち異なる色温度の白色光とすることができる。
イ．「【００９５】
　
図１４は、本発明の原理による携帯ライティングシステム１４００を示す。この携帯ライティングシステム１４００には、例えば、ライトシステム１５００を含めることができる。
図１５は、ライティングシステム１５００を示しており、このシステムは、本発明の原理によるライトシステム１４００の内部に配置することができる。このシステムは、ＬＥＤ制御信号を１つまたは複数のＬＥＤ１５０８に伝達するためのプロセッサ１５０４を含むことができる。一実施態様においては、複数の異なるカラーＬＥＤ、１５０８Ｒ赤色ＬＥＤ、１５０８Ｇ緑色ＬＥＤ、および１５０８Ｂ青色ＬＥＤを含めることができる。プロセッサ１５０４は、ＬＥＤ１５０８Ｒ、１５０８Ｇ、および１５０８Ｂを独立に制御することができる。
【００９６】
　図１６は、本発明の原理によるシステムを示す。
図１６は、スタジアムスタンド１６０４を示し、ここには多数の人がイベントを目的に座わることになる。スタンド１６０４の人々の多くは、ライトシステム１４００を所持することができる。一実施態様においては、送信機１４０８が制御信号１６０２を、ライトシステム１４００に伝達し、それによって、聴衆の中にパターン１６０８が現われる。
ウ．「【００９８】
　一実施態様において、ライトシステム１４００は、記憶プログラム（例えば、時間に対するカラー変更制御信号）または静止状態（例えば、テーブルにした青、赤、紫制御信号）を備えることができる。複数のライトシステム１４００は、各ライトシステム１４００が無線通信を受信するように配設するか、またはプログラムまたは状態の実行を開始するように配設することができる。一実施態様においては、複数のライトシステム１４００のそれぞれが、受信信号を異なる方法で解釈するように配設することができる。
例えば、スタジアム１６０４において、ライトシステムを特定の順番に配設し、それによって起動するとライトシステムにパターン１６０８を生成させることができる。ライトシステム１４００のいくつかは、青色を、その他は黄色を表示し、それによって、例えば、リングパターンが聴衆の中に現われるようにすることができる。
３．対比
（１）本件特許発明１について
ア．本件特許発明１と甲１発明とを対比すると、その意味、機能または構造からみて、甲１発明の「手でつかむための保持部４０１」は本件特許発明１の「把持部」に相当し、以下同様に、「赤色の発光ダイオード」は「赤色発光ダイオード」に、「緑色の発光ダイオード」は「緑色発光ダイオード」に、「青色の発光ダイオード」は「青色発光ダイオード」に、「発光部２０１」は「光源部」に、それぞれ相当する。
　また、甲１発明の「棒状ライト１００」は、制御部６０１により各発光ダイオードを単独又は複数発光させることで特定の発光色が複数得られるように構成されているから、本件特許発明１の「多色ペンライト」に相当する。
イ．甲１発明の「筒状の胴体部１０１」は透過性を有しているから、発光色を照らす機能を有していると認められる。したがって、甲１発明の「透過性を有した筒状の胴体部１０１」は、本件特許発明１の「発光色を照らすカバーで覆われた発光部」に相当する。
ウ．甲１発明の「赤色の発光ダイオード、緑色の発光ダイオード、青色の発光ダイオードを備える発光部２０１」と本件特許発明１の「赤色発光ダイオード、緑色発光ダイオード、青色発光ダイオード、黄色発光ダイオード及び白色発光ダイオードを備える光源部」とは、「赤色発光ダイオード、緑色発光ダイオード及び青色発光ダイオードを備える光源部」という限度で一致する。
　そうすると、甲１発明の「前記（赤色の発光ダイオード、緑色の発光ダイオード、青色の発光ダイオードを備える）発光部２０１の赤色の発光ダイオード、緑色の発光ダイオード、青色の発光ダイオードの発光を個別に制御する制御部６０１を備え」という構成と、本件特許発明１の「前記（赤色発光ダイオード、緑色発光ダイオード、青色発光ダイオード、黄色発光ダイオード及び白色発光ダイオードを備える）光源部の各発光ダイオードの発光を個別に制御する制御手段を有し」という構成は、「前記（赤色発光ダイオード、緑色発光ダイオード及び青色発光ダイオードを備える）光源部の各発光ダイオードの発光を個別に制御する制御手段を有し」という構成の限度で一致する。
エ．甲１発明の「電源部５０１は乾電池やボタン電池である」は、本件特許発明１の「乾電池又はボタン電池を電源とする」に相当する。
　したがって、本件特許発明１と甲１発明は、以下の点で一致している。
「発光色を照らすカバーで覆われた発光部と、把持部とを有し、
　前記把持部は、
　赤色発光ダイオード、緑色発光ダイオード及び青色発光ダイオードを備える光源部と、
　前記光源部の各発光ダイオードの発光を個別に制御する制御手段を有し、
　前記制御手段により前記各発光ダイオードを単独で又は複数発光させることで特定の発光色が得られるように構成し、
　前記特定の発光色は複数得られ、
　乾電池又はボタン電池を電源とすることを特徴とする多色ペンライト。」
である点で一致する。
　そして、本件特許発明１と甲１発明とは、以下の点で相違している。
＜相違点１＞ 
　「光源部」に関して、本件特許発明１では、「赤色発光ダイオード、緑色発光ダイオード、青色発光ダイオード、黄色発光ダイオード及び白色発光ダイオードを備える光源部」であるのに対し、
　甲１発明では、「赤色の発光ダイオード、緑色の発光ダイオード、青色の発光ダイオードを備える発光部２０１」である点。
＜相違点２＞
　「特定の発光色」に関して、本件特許発明１では、「前記複数得られる特定の発光色には、少なくとも、前記白色発光ダイオードから発せられる光とそれ以外の発光ダイオードから発せられる光とを混合して得られる発光色、又は、前記黄色発光ダイオードから発せられる光とそれ以外の発光ダイオードから発せられる光とを混合して得られる発光色が含まれ」るのに対し、
　甲１発明では、そのように特定されていない点。
＜相違点３＞
　本件特許発明１では、「前記各発光ダイオードから発せられる光を集光、混色し、これにより得られた発光色で前記カバーを照らすための発光色補助手段を前記光源部の近くに設けるように構成し」ているのに対し、
　甲１発明では、「前記発光部２０１が下方に照射する光を上方向に反射させる凸面鏡２０２の内部に、前記発光部２０１を設け」ている点。
（２）本件特許発明２について
　本件特許発明２と甲１発明とを対比すると、両者は相違点１ないし３に加えて、次の相違点４で相違する。
＜相違点４＞
　本件特許発明２では、「前記光源部が前記発光ダイオード以外の色の発光ダイオードを更に備える」のに対し、
　甲１発明では、そのように特定されていない点。
４．判断
（１）本件特許発明１について
ア．＜相違点１＞について
　甲第２号証において、上記２．（２）イ．には、「図１４は、本発明の原理による携帯ライティングシステム１４００を示す。この携帯ライティングシステム１４００には、例えば、ライトシステム１５００を含めることができる。」（段落【００９５】）、「図１５は、ライティングシステム１５００を示しており、このシステムは、本発明の原理によるライトシステム１４００の内部に配置することができる。このシステムは、ＬＥＤ制御信号を１つまたは複数のＬＥＤ１５０８に伝達するためのプロセッサ１５０４を含むことができる。一実施態様においては、複数の異なるカラーＬＥＤ、１５０８Ｒ赤色ＬＥＤ、１５０８Ｇ緑色ＬＥＤ、および１５０８Ｂ青色ＬＥＤを含めることができる。プロセッサ１５０４は、ＬＥＤ１５０８Ｒ、１５０８Ｇ、および１５０８Ｂを独立に制御することができる。」（段落【００９５】）、「図１６は、スタジアムスタンド１６０４を示し、ここには多数の人がイベントを目的に座わることになる。スタンド１６０４の人々の多くは、ライトシステム１４００を所持することができる。一実施態様においては、送信機１４０８が制御信号１６０２を、ライトシステム１４００に伝達し、それによって、聴衆の中にパターン１６０８が現われる。」（段落【００９６】）と記載され、上記２．（２）ウ．には、「例えば、スタジアム１６０４において、ライトシステムを特定の順番に配設し、それによって起動するとライトシステムにパターン１６０８を生成させることができる。ライトシステム１４００のいくつかは、青色を、その他は黄色を表示し、それによって、例えば、リングパターンが聴衆の中に現われるようにすることができる。」と記載されており、併せて図１４ないし１６も参照すると、スタンドスタジアム１６０４に座る人々が所持する携帯ライティングシステム１４００は、赤色ＬＥＤ１５０８Ｒ、緑色ＬＥＤ１５０８Ｇ及び青色ＬＥＤ１５０８Ｂを備えており、青色又は黄色を表示することができるものと認められる。
　そして、赤色、緑色及び青色が光の三原色であること、並びに、甲第２号証のいずれにも黄色ＬＥＤに関する記載がないことを考慮すると、携帯ライティングシステム１４００が表示する黄色は、赤色ＬＥＤ１５０８Ｒ、緑色ＬＥＤ１５０８Ｇ及び青色ＬＥＤ１５０８Ｂから発せられる光を混合することで得られるものと解するのが相当である。
　そうすると、甲第２号証には、以下の技術的事項が記載されているものと認められる。
「赤色ＬＥＤ１５０８Ｒ、緑色ＬＥＤ１５０８Ｇ及び青色ＬＥＤ１５０８Ｂを備え、赤色ＬＥＤ１５０８Ｒ、緑色ＬＥＤ１５０８Ｇ及び青色ＬＥＤ１５０８Ｂから発せられる光を混合することで黄色を表示することができる携帯ライティングシステム１４００。]（以下、「甲第２号証に記載の技術的事項１」という。）
　また、甲第２号証において、上記２．（２）ア．には、「好ましい一実施態様において、ライトシステム１０２は、ＬＥＤ式ライトシステムである。また、好ましい一実施態様においては、ライトシステム１０２は、２つの光の色を混合することが可能であり、この光の色としては、赤、緑、青、白、コハク、またはその他の光の色がある。一実施例として、この光の色は、白色光の異なる色、すなわち異なる色温度の白色光とすることができる。」（段落【００２３】）と記載されていることから、ＬＥＤ式ライトシステムであるライトシステム１０２は、少なくとも、白色ＬＥＤとそれ以外の色のＬＥＤを備えており、白色ＬＥＤから発せられる白色光とそれ以外の色のＬＥＤから発せられる光とを混合することが可能であるものと認められる。
　そうすると、甲第２号証には、以下の技術的事項が記載されているものと認められる。
「赤、緑、青、白、コハク、またはその他の光の色のうちの２つの光の色を混合することが可能であるＬＥＤ式ライトシステム１０２。」（以下、「甲第２号証に記載の技術的事項２」という。）
　ここで、本件特許発明１と甲第２号証に記載の技術的事項１とを対比すると、その意味、機能または構造からみて、甲第２号証に記載の技術的事項１の「赤色ＬＥＤ１５０８Ｒ」は本件特許発明１の「赤色発光ダイオード」に相当し、以下同様に、「緑色ＬＥＤ１５０８Ｇ」は「緑色発光ダイオード」に、「青色ＬＥＤ１５０８Ｂ」は「青色発光ダイオード」に、それぞれ相当する。
　そうすると、甲第２号証に記載の技術的事項１は、相違点１に係る本件特許発明１の発明特定事項のうちの、「赤色発光ダイオード、緑色発光ダイオード、青色発光ダイオード、を備える光源部」と共通する事項を有しているものと認められる。
　しかしながら、甲第２号証に記載の技術的事項１は、相違点１に係る本件特許発明１の発明特定事項のうちの、「黄色発光ダイオードを備える光源部」に相当する構成を有していない。
　そして、同様に、甲第２号証に記載の技術的事項２も、相違点１に係る本件特許発明１の発明特定事項のうちの、「黄色発光ダイオードを備える光源部」に相当する構成を有していない。
　そうすると、仮に、甲第２号証に記載の技術的事項１及び甲第２号証に記載の技術的事項２を、甲１発明に適用したとしても、甲第２号証に記載の技術的事項１及び甲第２号証に記載の技術的事項２のいずれも、相違点１に係る本件特許発明１の発明特定事項のうちの、「黄色発光ダイオードを備える光源部」に相当する構成を有していない以上、相違点１に係る本件特許発明１の発明特定事項とすることは、当業者にとって容易であるとはいえない。
　なお、請求人は、審判請求書の（４）本件特許を無効にすべき理由において、甲第２号証に記載の発明は、「Ｃ２”．赤色発光ダイオード、緑色発光ダイオード及び青色発光ダイオードを有する光源部と、また、白色、こはく色、黄色発光する発光部とを備え、２つの色を混合する（甲第２号証の明細書の段落【００２３】、【００９５】、【００９８】、【０１０４】及び図１４、１５）」の構成を有しており、甲第２号証に記載の発明において、本件特許発明に係る発明特定事項Ｃ１及びＧ１に相当する「黄色発光ダイオード」及びその混色する内容が開示されているとして、甲第２号証には、「黄色発光ダイオード」を備える光源部が記載されていると主張している。
　しかしながら、請求人が引用する甲第２号証の段落【００２３】、【００９５】、【００９８】、【０１０４】、図１４、１５、さらには、その他の段落及び図面のいずれにも、「黄色発光ダイオード」を備える光源部について何ら記載されていない。また、段落【００９８】に記載の「ライトシステム１４００のいくつかは、青色を、その他は黄色を表示し」の「黄色」については、上述したとおり、赤色ＬＥＤ１５０８Ｒ、緑色ＬＥＤ１５０８Ｇ及び青色ＬＥＤ１５０８Ｂから発せられる光を混合することで得られるものと解するのが相当である。
　したがって、甲第２号証には、「黄色発光ダイオード」を備える光源部が記載されているとの請求人の主張は採用できない。
　また、請求人は、審判請求書の（４）本件特許を無効にすべき理由において、甲第１号証に記載の発明は、「Ｃ１’．赤色発光ダイオード、緑色発光ダイオード及び青色発光ダイオードを有する光源部と、また、単一色、複数色、白色発光ダイオード、を備える発光部を備える（甲第１号証の明細書の段落【００３３】及び【００６２】）」の構成を有しており、本件請求項１に係る特許発明と甲第１号証に記載の発明とを対比すると、本件請求項１に係る特許発明の発明特定事項Ｃ１及びＧ１に相当する「黄色発光ダイオード」については、甲第１号証に記載の発明には開示されていない点において相違し、甲第１号証に記載の発明の「発光部」は、「黄色発光ダイオード」以外の、「赤色発光ダイオード、緑色発光ダイオード、青色発光ダイオード『及び白色発光ダイオード』」の４色の発光ダイオードを備えている旨主張している。
　しかしながら、甲第１号証は、白色発光ダイオードを用いた棒状ライト（第１の実施形態）と、赤色発光ダイオード、緑色発光ダイオード及び青色発光ダイオードを用いた棒状ライト（第２の実施形態）を、それぞれ別個の実施形態として記載しているのであって、第１の実施形態と第２の実施形態とを組み合わせて、赤色発光ダイオード、緑色発光ダイオード、青色発光ダイオード及び白色発光ダイオードを備える発光部を有する棒状ライトの発明が甲第１号証に記載されているとすることはできない。
　したがって、甲第１号証に記載の発明の「発光部」は、「黄色発光ダイオード」以外の、「赤色発光ダイオード、緑色発光ダイオード、青色発光ダイオード『及び白色発光ダイオード』」の４色の発光ダイオードを備えている旨の請求人の主張は採用できない。
イ．＜相違点２＞について
（ア）相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」について
　上記ア．で示した甲第２号証に記載の技術的事項１は、相違点２に係る本件特許発明１の発明特定事項のうちの、「白色発光ダイオード」に相当する構成を有していない。
　したがって、甲第２号証に記載の技術的事項１を、甲１発明に適用したとしても、相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成を想到することは、当業者にとって容易であるとはいえない。
　また、甲第２号証に記載の技術的事項２は、「赤、緑、青、白、コハク、またはその他の光の色のうちの２つの光の色を混合することが可能であるＬＥＤ式ライトシステム１０２。」であるものの、混合する２つの光の色の一方に必ずしも白色が含まれるか明らかではないから、甲第２号証に記載の技術的事項２を、甲１発明に適用したとしても、相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成を想到することは、当業者にとって容易であるとはいえない。
　仮に、甲第２号証に記載の技術的事項２から、相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成と共通する事項を導き出せたとしても、甲第２号証の段落【００４１】に「一実施態様においては、ライトシステム１０２は、実世界環境１００に設置される。この実世界環境１００は部屋とすることができる。ライティングシステムは、例えば、壁、天井、床または部屋の中の、その他のセクションもしくは対象物、または部屋の特定のサーフェス１０７をライティングするように配設することもできる。」と記載されているように、甲第２号証に記載の技術的事項２のＬＥＤ式ライトシステム１０２は、部屋の照明を主たる用途としているものであって、甲１発明（棒状ライト１００）とはまったく異なる用途の照明に関するものである。
　また、甲１発明の課題は、甲第１号証の段落【０００９】、【００１０】等に記載されるように、棒状ライトにおける前方への光線の照度を抑えることで安全な棒状ライトを提供することにあるのに対し、甲第２号証に記載の技術的事項２の課題は、甲第２号証の段落【０００２】、【０００３】等に記載されるように、ネットワーク化されたライトシステム用の制御信号を生成するための方法・システムを提供することにあるので、両者の間に共通する課題は見出せない。
　さらに、甲１発明は、相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成を想到するに至った、電池の電力消耗による混色への影響を受けにくい多色ペンライトを提供するという本件特許発明１の課題（甲第１号証の段落【００１３】等参照）を内在しているともいえない。
　したがって、甲第２号証に記載の技術的事項２を、甲１発明に適用する動機付けはないものといえるから、仮に、甲第２号証に記載の技術的事項２から、相違点２に係る発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成と共通する事項を導き出せたとしても、甲１発明において、相違点２に係る本件特許発明１の発明特定事項のうちの、「前記複数得られる特定の発光色には、少なくとも、前記白色発光ダイオードから発せられる光とそれ以外の発光ダイオードから発せられる光とを混合して得られる発光色」「が含まれ」という構成を想到することは、当業者にとって容易であるとはいえない。
（イ）相違点２に係る本件特許発明１の発明特定事項のうちの、「前記複数得られる特定の発光色には」「前記黄色発光ダイオードから発せられる光とそれ以外の発光ダイオードから発せられる光とを混合して得られる発光色が含まれ」について
　上記ア．で述べたとおり、甲第２号証に記載の技術的事項１及び甲第２号証に記載の技術的事項２のいずれも、相違点１に係る本件特許発明１の発明特定事項のうちの、「黄色発光ダイオードを備える光源部」に相当する構成を有していない以上、相違点２に係る本件特許発明１の発明特定事項のうちの、「前記複数得られる特定の発光色には」「前記黄色発光ダイオードから発せられる光とそれ以外の発光ダイオードから発せられる光とを混合して得られる発光色が含まれ」るという構成に相当する構成を有してないことは明らかである。
　したがって、仮に、甲第２号証に記載の技術的事項１及び甲第２号証に記載の技術的事項２を、甲１発明に適用できたとしても、相違点２に係る本件特許発明１の発明特定事項のうちの、「前記複数得られる特定の発光色には」「前記黄色発光ダイオードから発せられる光とそれ以外の発光ダイオードから発せられる光とを混合して得られる発光色が含まれ」るという構成を想到することは、当業者にとって容易であるとはいえない。
ウ．＜相違点３＞について
　凸面鏡とは、一般に、「反射面が凸である球面鏡。すなわち球面の外側で光を反射させる球面鏡。凸鏡」（株式会社岩波書店 広辞苑第六版）を意味するものである。
　そうすると、甲１発明の「前記発光部２０１が下方に照射する光を上方向に反射させる凸面鏡２０２」は、「前記発光部２０１が下方に照射する光を」拡散するように「上方向に反射させる」ものであって、相違点３に係る本件特許発明１の発明特定事項のうちの、「前記各発光ダイオードから発せられる光を集光、混色し」という機能とはまったく逆の機能を有しているものと認められる。
　よって、甲１発明の「前記発光部２０１が下方に照射する光を上方向に反射させる凸面鏡２０２」の形状等を敢えて変更し、相違点３に係る本件特許発明１の発明特定事項のうちの、「前記各発光ダイオードから発せられる光を集光、混色し」という機能を奏するようにすることには、阻害要因があるといえる。
　したがって、甲１発明において、相違点３に係る本件特許発明１の発明特定事項を想到することは、当業者にとって容易であるとはいえない。
エ．小括
　以上のとおり、相違点１乃至３に係る本件特許発明１の発明特定事項は、当業者が容易に想到し得たものとはいえないから、本件特許発明１は、甲１発明及び甲第２号証に記載の発明に基いて、当業者が容易に発明をすることができたものではない。
（２）本件特許発明２について
　本件特許発明２は、本件特許発明１の内容をすべて含むものであるから、本件特許発明１と同様に、甲１発明及び甲第２号証に記載の発明に基いて、当業者が容易に発明をすることができたものではない。
（３）まとめ
　以上のとおり、本件特許発明１及び２は、甲１発明及び甲第２号証に記載の発明に基いて、当業者が容易に発明をすることができたものとはいえないので、特許法２９条第２項の規定に違反するものではなく、特許法第１２３条第１項第２号に該当しない。
第５　むすび 
　以上のとおりであるから、請求人の主張及び証拠方法によっては、本件特許発明１及び２の特許を、無効とすることはできない。
　審判に関する費用については、特許法第１６９条第２項の規定で準用する民事訴訟法第６１条により、請求人が負担すべきものである。
　よって、結論のとおり審決する。